(57)【要約】      （修正有）【課題】シリーズ番組の検索および予約録画が簡単に行えるようにした番組表搭載デジタル放送受信機を提供する。【解決手段】入力手段からの指令を受け、記憶手段に記憶させた番組情報に基いてＥＰＧを作成し、この作成したＥＰＧをＯＳＤ表示手段を介して表示装置にＥＰＧ画面として表示させ、かつ、番組をグループとして扱うシリーズ番組情報一覧をＥＰＧ画面と同一画面に表示し、ＥＰＧ画面でフォーカスされた現視聴番組がシリーズ番組である場合、シリーズ番組一覧に該現視聴番組の毎回の個別情報を表示し、ＥＰＧ画面においてチャンネル、放送局、または全チャンネルの何れかをフォーカスした場合に、チャンネル、放送局または全チャンネルのシリーズ番組の一覧をシリーズ番組一覧に表示するように制御する制御手段とを備える。【選択図】図２
2006115226.tif 000002
【特許請求の範囲】
【請求項１】
放送局から発信されるデジタル／アナログ放送信号を受信する受信手段と、
この受信手段が受信した放送信号を復号するデジタル／アナログ復号手段と、
このデジタル／アナログ復号手段が復号した復号信号を映像表示が可能な信号に変換し
て表示装置に出力する信号変換手段と、
前記表示装置に所定のＯＳＤ表示をさせるＯＳＤ表示手段と、
番組選択等の各種指令を入力するための入力手段と、
前記デジタル／アナログ復号手段が復号した復号信号に含まれる番組情報を記憶する記
憶手段と、
前記各手段を制御するとともに、前記入力手段からの指令を受け、前記記憶手段に記憶
させた番組情報に基いてＥＰＧを作成し、この作成したＥＰＧを前記ＯＳＤ表示手段を介
して前記表示装置にＥＰＧ画面として表示させ、かつ、番組をグループとして扱うシリー
ズ番組情報一覧を前記ＥＰＧ画面と同一画面に表示し、前記ＥＰＧ画面でフォーカスされ
た現視聴番組がシリーズ番組である場合、前記シリーズ番組一覧に該現視聴番組の毎回の
個別情報を表示し、前記ＥＰＧ画面においてチャンネル、放送局、または全チャンネルの
何れかをフォーカスした場合に、前記チャンネル、前記放送局または前記全チャンネルの
シリーズ番組の一覧を前記シリーズ番組一覧に表示するように制御する制御手段と、を備
えたことを特徴とする番組表搭載デジタル放送受信機。
【請求項２】
放送局から発信される放送信号を受信する受信手段と、
この受信手段が受信した放送信号を映像表示が可能な信号に変換して表示装置に出力す
る信号変換手段と、
番組選択等の各種指令を入力するための入力手段と、
番組情報を記憶する記憶手段と、
前記各手段を制御するとともに、前記入力手段からの指令を受け、前記記憶手段に記憶
させた番組情報に基いてＥＰＧを作成し、この作成したＥＰＧを前記表示装置にＥＰＧ画
面として表示させ、かつ、番組をグループとして扱うシリーズ番組情報一覧を前記ＥＰＧ
画面と同一画面に表示し、前記ＥＰＧ画面でフォーカスされた現視聴番組がシリーズ番組
である場合、前記シリーズ番組一覧に、該現視聴番組の毎回の個別情報を表示するように
制御する制御手段と、を備えたことを特徴とする番組表搭載デジタル放送受信機。
【請求項３】
前記制御手段は、前記ＥＰＧ画面でチャンネルをフォーカスした場合に、前記チャンネ
ルのシリーズ番組の一覧を前記シリーズ番組情報一覧に表示するように制御することを特
徴とする請求項２記載の番組表搭載デジタル放送受信機。
【請求項４】
前記制御手段は、前記ＥＰＧ画面で放送局をフォーカスした場合に、前記放送局の全チ
ャンネルのシリーズ番組の一覧を前記シリーズ番組情報一覧に表示するように制御するこ
とを特徴とする請求項２記載の番組表搭載デジタル放送受信機。
【請求項５】
前記制御手段は、前記ＥＰＧ画面で全チャンネルをフォーカスした場合に、全チャンネ
ルのシリーズ番組の一覧を前記シリーズ番組情報一覧に表示するように制御することを特
徴とする請求項２記載の番組表搭載デジタル放送受信機。
【発明の詳細な説明】
【技術分野】
【０００１】
この発明は、例えばＢＳ（Broadcasting Satellite）デジタル放送やＣＳ（Communicat
ion Satellite）デジタル放送、あるいは地上波デジタル放送において、番組選択や録画
予約を行う番組表を搭載した番組表搭載デジタル放送受信機に関する。
【背景技術】
【０００２】
近年、デジタル放送などの分野では、ＭＰＥＧの画像圧縮技術の利用により、多チャン
ネルの番組を広範囲にわたった放送サービスが提供されつつある。しかしながら、チャン
ネル数の増加によって、新聞や雑誌のような印刷物による番組表から当日、翌日、１週間
後などの番組を探し出してチャンネル選択や録画予約を行うことは、多くのユーザにとっ
て煩雑なものとなっている。そこで、その対策としてユーザがＴＶ画面上で番組検索や選
択ならびに録画予約等をできるように、番組情報など番組表を作るために必要なデータを
画像データや音声データとともに多重化して放送し、そして、デジタル放送チューナなど
でこの番組表に必要なデータを受信するとともに、この受信データに基づきデジタル放送
チューナなどで番組表を作成してテレビジョン装置などに映し出す電子番組表（以下、Ｅ
ＰＧと称す）が使用されるようになってきており、ＥＰＧによるさまざまな番組表機能が
開発されている。
【０００３】
例えば、特許文献１には、ユーザが選択した特定のシリーズを構成する各シリーズ番組
の詳細情報をユーザに提示することができるデジタル放送受信機が開示されている。
【０００４】
また、特許文献２には、選択されたジャンルごとのチャンネル一覧表や番組一覧表を表
示した場合、ジャンルの所望カテゴリを選択すると、そのカテゴリに該当する放送番組表
が一覧表示になって大量に表示され、チャンネルの選択に手間取り、ユーザにとってわず
らわしい放送番組の選択操作を容易にするデジタル放送受信機が開示されている。
【特許文献１】特開２００１−２５７９５５号公報
【特許文献２】特開２００３−２９８９６３号公報
【発明の開示】
【発明が解決しようとする課題】
【０００５】
テレビ番組には、毎日、毎週１回、月曜から金曜まで毎日放送する番組、あるいはサッ
カー中継のように月に何回かの不定期に放送する番組等、番組を所定のグループとして扱
うシリーズ番組がある。従来、このようなシリーズ番組を検索しあるいは録画予約を行う
際は、ＥＰＧ画面から検索するしかないため、例えば、１週間先のシリーズ番組をＥＰＧ
に表示させる場合、リモコンのキー操作で１週間先にＥＰＧ画面を遷移させなければなら
ず、リモコン操作が面倒である。さらにまた、サッカー中継のように日程や時間が不定期
の番組では、ＥＰＧには表示できないことがあり、その場合は検索が困難であるという問
題があった。
【０００６】
上述のように、特許文献１には、番組ガイド部と、この番組ガイド部で選択されている
番組の詳細を表示する画面の２画面を表示する技術が開示され、特許文献２にはジャンル
選択表およびシリーズ選択表が開示されているが、いずれもＥＰＧとシリーズ番組情報一
覧を同時に表示していないため、シリーズ番組の検索が困難であるという問題は解消され
ない。
【０００７】
本発明の目的は、シリーズ番組の検索および予約録画が簡単に行えるようにした番組表
搭載デジタル放送受信機を提供することにある。
【課題を解決するための手段】
【０００８】
第１発明に係る番組表搭載デジタル放送受信機は、放送局から発信されるデジタル／ア
ナログ放送信号を受信する受信手段と、この受信手段が受信した放送信号を復号するデジ
タル／アナログ復号手段と、このデジタル／アナログ復号手段が復号した復号信号を映像
表示が可能な信号に変換して表示装置に出力する信号変換手段と、前記表示装置に所定の
ＯＳＤ表示をさせるＯＳＤ表示手段と、番組選択等の各種指令を入力するための入力手段
と、前記デジタル／アナログ復号手段が復号した復号信号に含まれる番組情報を記憶する
記憶手段と、前記各手段を制御するとともに、前記入力手段からの指令を受け、前記記憶
手段に記憶させた番組情報に基いてＥＰＧを作成し、この作成したＥＰＧを前記ＯＳＤ表
示手段を介して前記表示装置にＥＰＧ画面として表示させ、かつ、番組をグループとして
扱うシリーズ番組情報一覧を前記ＥＰＧ画面と同一画面に表示し、前記ＥＰＧ画面で選択
した現視聴番組がシリーズ番組である場合、前記シリーズ番組一欄に該現視聴番組のシリ
ーズ情報を表示し、現視聴番組を表示しているとき、画面の左矢印ボタンにより全放送局
、該現視聴番組を放送している放送局の当該チャンネル、または現視聴番組を放送してい
る放送局の全チャンネル、のいずれかをフォーカスすることにより、フォーカスされた当
該放送局のシリーズ番組を前記シリーズ番組一欄に表示するように制御する制御手段と、
を備えたことを特徴とする。
【０００９】
この番組表搭載デジタル放送受信機によれば、ＥＰＧ画面とシリーズ番組情報一覧画面
が同時に表示されるため、ＥＰＧ画面で選択した番組からシリーズ番組の詳細情報が簡単
に検索でき、予約録画も簡単に行うことができるとともに、現視聴番組のシリーズ情報、
現視聴番組を放送している放送局の当該チャンネル、または全チャンネル、のいずれかの
シリーズ番組をシリーズ番組一欄に表示させることができ、ユーザの多様な要求に対応す
ることができる第２発明に係る番組表搭載デジタル放送受信機は、放送局から発信される
放送信号を受信する受信手段と、この受信手段が受信した放送信号を映像表示が可能な信
号に変換して表示装置に出力する信号変換手段と、番組選択等の各種指令を入力するため
の入力手段と、番組情報を記憶する記憶手段と、前記各手段を制御するとともに、前記入
力手段からの指令を受け、前記記憶手段に記憶させた番組情報に基いてＥＰＧを作成し、
この作成したＥＰＧを前記表示装置にＥＰＧ画面として表示させ、かつ、番組をグループ
として扱うシリーズ番組情報一覧を前記ＥＰＧ画面と同一画面に表示し、前記ＥＰＧ画面
で選択した現視聴番組がシリーズ番組である場合、前記シリーズ番組一欄に該現視聴番組
のシリーズ情報を表示するように制御する制御手段と、を備えたことを特徴とする。
【００１０】
この番組表搭載デジタル放送受信機によれば、ＥＰＧ画面と現視聴番組のシリーズ番組
情報一覧画面が同時に表示されるため、ＥＰＧ画面で選択した番組からシリーズ番組の詳
細情報が簡単に検索でき、予約録画も簡単に行うことができる。
第３発明に係る番組表搭載デジタル放送受信機は、前記ＥＰＧ画面で選択した現視聴番組
を表示しているとき、全放送局をフォーカスし、該全放送局が放送しているシリーズ番組
の全てを前記シリーズ番組一欄に表示することを特徴とする。
この番組表搭載デジタル放送受信機によれば、全放送局が放送しているシリーズ番組の全
ての内容を簡単に見ることができる。
【００１１】
第４発明に係る番組表搭載デジタル放送受信機は、前記ＥＰＧ画面で選択した選択した
現視聴番組を表示しているとき、該現視聴番組を放送している放送局の当該チャンネルを
フォーカスし、該チャンネルのシリーズ番組を前記シリーズ番組一欄に表示することを特
徴とする。
【００１２】
この番組表搭載デジタル放送受信機によれば、現視聴番組を放送している放送局のチャ
ンネルのシリーズ番組の内容を簡単に見ることができる。
【００１３】
第５発明に係る番組表搭載デジタル放送受信機は、前記ＥＰＧ画面で選択した選択した
現視聴番組を表示しているとき、該現視聴番組を放送している放送局の全チャンネルをフ
ォーカスし、該全チャンネルのシリーズ番組を前記シリーズ番組一欄に表示することを特
徴とする。
【００１４】
この番組表搭載デジタル放送受信機によれば、現視聴番組を放送している放送局の全チ
ャンネルのシリーズ番組の内容を簡単に見ることができる。
【００１５】
第６発明に係る番組表搭載デジタル放送受信機は、前記ＥＰＧ画面で選択した選択した
現視聴番組を表示しているとき、該現視聴番組についての毎回の個別情報を前記シリーズ
番組一欄に表示することを特徴とする。
【００１６】
この番組表搭載デジタル放送受信機によれば、現視聴番組についての毎回の個別情報を
簡単に見ることができる。
【発明を実施するための最良の形態】
【００１７】
以下、本発明の実施の形態を図面に基づいて説明する。
【００１８】
図１は、本実施形態によるデジタル／アナログ放送受信装置のブロック構成を示してい
る。
【００１９】
デジタル／アナログ放送受信装置（ＳＴＢ）１には、放送局から所定周波数の高周波電
波で発信されるテレビ放送信号を受信するためのアンテナ２０と、テレビ放送の映像を映
し出すためのテレビモニタ（表示装置）３０が接続される。放送受信装置１は、放送局か
ら発信されるＡＴＳＣ放送信号やＮＴＳＣ放送信号をアンテナ２０を介して受信し、これ
らの放送信号により配信されるテレビ番組の映像をテレビモニタ３０に映し出すための装
置である。
【００２０】
放送受信装置１は、リモコン（入力手段）２からの入力信号を受信するリモコン受信部
３と、チューナ（受信手段）４と、ＮＴＳＣデコーダ（アナログ復号手段）５と、ＭＰＥ
Ｇエンコーダ６と、ＡＴＳＣフロントエンド（デジダル復号手段）７と、ＭＰＥＧデコー
ダバックエンド（信号変換手段）９と、ＯＳＤ回路１０と、メモリ１１と、制御部（制御
手段、検索手段、色変更制御手段、ハイライト表示制御手段、警告手段）１３とから構成
されている。
【００２１】
リモコン２は、視聴するテレビ番組のチャンネル選局、テレビ番組の視聴予約及び、Ｅ
ＰＧ画面の表示等の各種操作を行うためのものであり、ユーザにより操作される。リモコ
ン２は、これら各種の操作を可能とするため、後述のような各種操作ボタンを備えており
、各種操作ボタンを操作すると、その操作に応じた赤外線信号等の無線信号を送出する。
【００２２】
リモコン受信部３は、リモコン２から送出された信号を受信し、リモコン２での操作に
対応する信号を制御部１３へ出力する。チューナ４は、その受信周波数をリモコン２で選
局操作されたチャンネルに対応する周波数に同調させることにより、選局操作されたチャ
ンネルのテレビ放送信号をアンテナ２０を介して受信する。
【００２３】
ＮＴＳＣデコーダ５は、リモコン２によりＮＴＳＣ（National Television Systems Co
mmittee）放送のチャンネルが選局された場合、チューナ４で受信したＮＴＳＣ放送信号
をテレビ番組の映像信号と音声信号に復調し、その映像信号と音声信号をＭＰＥＧエンコ
ーダ６へ出力する。ＭＰＥＧエンコーダ６は、ＮＴＳＣデコーダ５から出力された映像信
号と音声信号をＭＰＥＧ規格でデジタル圧縮符号化し、ＭＰＥＧデコーダバックエンド９
へ出力する。
【００２４】
ＡＴＳＣフロントエンド７は、リモコン２によりＡＴＳＣ放送のチャンネルが選局され
た場合、チューナ４で受信した８ＶＳＢ方式で変調されたＡＴＳＣ放送信号を、ＭＰＥＧ
規格でデジタル圧縮符号化された複数のテレビ番組の映像と音声、及び電子番組情報等の
信号が時分割多重化された状態のＴＳ信号に復調する。そして、ＡＴＳＣフロントエンド
７は、このＴＳ信号から、リモコン２で選局されたチャンネルのテレビ番組の映像信号と
音声信号を分離抽出してＭＰＥＧデコーダバックエンド９へ出力すると共に、電子番組情
報を抽出して制御部１３へ出力する。この電子番組情報には、各番組の番組名、番組説明
及びユーザの視聴を制限するためのレイティング情報などが含まれる。
【００２５】
ＭＰＥＧデコーダバックエンド９には、ＭＰＥＧエンコーダ６及びＡＴＳＣフロントエ
ンド７から出力されるＭＰＥＧ規格によりデジタル圧縮符号化された映像信号と音声信号
が入力される。ＭＰＥＧデコーダバックエンド９は、これらの映像信号と音声信号をデジ
タル圧縮符号化される前の信号に復号することで、テレビモニタ３０に映像を映し出すと
共に音声を出力するための信号を生成する。ＭＰＥＧデコーダバックエンド９から出力さ
れた映像信号は、ＯＳＤ回路１０を介してテレビモニタ３０へ出力される。
【００２６】
ＯＳＤ回路１０は、ＭＰＥＧデコーダバックエンド９から出力される映像信号にチャン
ネル番号やＥＰＧ画面等の所定のオンスクリーン表示データを重畳する。これにより、テ
レビモニタ３０には、テレビ番組の映像にオンスクリーン表示データによる画像が重ねて
表示される。
【００２７】
メモリ１１は、各チャンネルのテレビ放送信号の周波数データ及び各種のオンスクリー
ン表示データを記憶している。また、メモリ１１は、ＡＴＳＣフロントエンド７が抽出し
た電子番組情報を記憶する。
【００２８】
制御部１３は、リモコン２によりＮＴＳＣ放送のチャンネルが選局された場合には、チ
ューナ４に対して選局されたチャンネルのＮＴＳＣ放送信号を受信させると共に、ＮＴＳ
Ｃデコーダ５に対して映像信号と音声信号を復調再生させる。また、リモコン２によりＡ
ＴＳＣ放送のチャンネルが選局された場合には、チューナ４に対して選局されたチャンネ
ルのＡＴＳＣ放送信号を受信させ、ＡＴＳＣフロントエンド７に対して選局されたチャン
ネルの映像信号と音声信号を分離抽出させる。
【００２９】
また、制御部１３は、チューナ４に対してＡＴＳＣ放送信号を受信させ、ＡＴＳＣフロ
ントエンド７から出力される電子番組情報をメモリ１１に記憶させる。そして、リモコン
２によりＥＰＧ画面の表示操作が行われると、メモリ１１に記憶させた電子番組情報を参
照して、ＥＰＧの番組選択画面の表示画像を作成し、その画像信号をＯＳＤ回路１０へ出
力する。これにより、ＥＰＧの番組選択画面がテレビモニタ３０に表示される。次に、こ
の実施の形態のチューナ１から出力される番組表の構成例を説明する。
【００３０】
図２は、チューナ１から表示信号として出力されディスプレイに映し出される番組表の
一例を示す画像図である。同図に示すように、この番組表４０は、ある年月日（この例で
は、２００４年６月４日(金)）における、ＥＰＧ画面４１と、このＥＰＧ画面４１の右側
に表示されるシリーズ番組一欄表４２とが同時に一画面に表示されたものである。ＥＰＧ
画面４１は、縦軸に放送局名４３、横軸に時間４４およびそれぞれの時間における番組名
４５を表示したもので、従来から用いられている通常のものである。シリーズ番組一覧表
４２には、電子番組情報に含まれるシリーズ番組を順番に表示されている。例えば、ＥＰ
Ｇ画面４１に表示されているチャンネル順に表示させ、同一チャンネルの番組であれば放
送時間の早い順番に表示する。シリーズ番組一覧表４２に表示させる番組の順番はこれに
限らず、放送期間が長い順、放送頻度が高い順等に並べても良い。シリーズ番組一欄表４
２には、シリーズ番組、例えば、毎日、月曜から金曜に毎日、毎週１回、月１回のように
規則的に放映される番組、あるいはサッカー中継等のように不定期な番組が表示されてい
る。この例では、放送局ＫＨＮ１のドラマ１３（毎週）、大リーグ中継（不定期）、ＫＨ
Ｎ２のクッキングＡ（毎週）、将棋放送（月１）、連ドラ・ＡＡＡ（毎週）、ＫＨＮHの
ドラマＡＢＣ（毎週）の例を示している。上記ＥＰＧ画面４１およびシリーズ番組情報一
覧４２には、スクロールバー４１ａ，４２ａが設けられており、これをリモコンで操作す
ることにより、画面を自由に変更できるようになっている。
【００３１】
図７は、リモコン２の構成例を示している。通常のチャンネルキー５１の下部に、メニ
ューキー５２、検索キー５３および十字キー５４（カーソルキー）が設けられている。メ
ニューキー５２を押すごとに、図８に示すように、1)チャンネル案内、2)番組案内、3)シ
リーズ案内、4)予約のいずれかがメニュー画面５５で選択される。メニューキー５４の操
作で2)番組案内を選択し、検索キー５３を押すことにより、上記のようなＥＰＧ画面４１
がテレビモニタ３０に表示され、同様にして十字キー５４で3)シリーズ案内を選択し、検
索キー５３を押すことにより、上記のようなシリーズ番組一欄表４２がテレビモニタ３０
に表示される。なお、ここにいうフォーカスとは、その部分の光度を強くしたり、点滅さ
せたり、反転させたり等により、他の部分と区別できるようにすることである。
【００３２】
図３は、ＥＰＧのシリーズ番組情報の表示方法の第１例を示す図である。十字キー５４
等によりＥＰＧ４１の画面を上下左右にフォーカスすることができる。いま、ＥＰＧ画面
４１において、図３に示すように、ある番組、この例では、現視聴番組である「連ドラ・
ＡＡＡ」６０をフォーカスする（「連ドラ・ＡＡＡ」６０にカーソルを合わせる）と、Ｅ
ＰＧ画面４１の下部の番組情報表示部４７に「連ドラ・ＡＡＡ」に関する番組情報、例え
ば、出演者、番組内容等が表示される。また、選択番組「連ドラ・ＡＡＡ」がシリーズ番
組である場合（連ドラ・ＡＡＡにシリーズ情報がある場合）には、ＥＰＧ画面４１での「
連ドラ・ＡＡＡ」にカーソルを合わせることに連動して、シリーズ番組一覧４２中におい
て、当該シリーズ番組「連ドラ・ＡＡＡ」がフォーカスされ、この連ドラ・ＡＡＡのみ、
以後の毎回のシリーズ番組の毎回の個別情報（各放送回の一覧）が表示される。また、そ
のうちのフォーカスされている連ドラ・ＡＡＡのシリーズ情報、例えば、シリーズ名、編
成、残話数、最終放送日等が下部のシリーズ情報表示部４９に表示される。
【００３３】
図４は、シリーズ番組情報の表示方法の第２例を示す図であって、１つのチャンネルで
放送している全てのシリーズ番組の一覧を表示するものである。図４に示すように、十字
キー５４等によってフォーカス移動し、チャンネルＫＨＮ２をフォーカスすると、シリー
ズ番組一覧表４２にチャンネルＫＨＮ２で放送されている全てのシリーズ番組の一覧を表
示する。
【００３４】
図５は、シリーズ番組情報の表示方法の第３例を示す図であって、１つの放送局で放送
しているシリーズ番組の一覧を表示する例である。図５に示すように、十字キー５４等に
よってフォーカス移動し、例えば、「クッキングＡ」から「ＫＨＮ２」に移動すると、放
送局ＫＨＮに含まれる３つのチャンネル「ＫＨＮ１」〜「ＫＨＮＨ」全てをフォーカスす
る。このとき、シリーズ番組一覧表４２に、放送局ＫＨＮの全チャンネルのシリーズ番組
の一覧が表示する。なお、放送局に１つのチャンネルしか含まれないチャンネルをフォー
カスした場合には、全チャンネルとしてそのチャンネルのみをフォーカスする。
【００３５】
図６は、シリーズ番組情報の表示方法の第４の例を示す図であって、全放送局の全チャ
ンネルで放送しているシリーズ番組の一覧を表示する例である。図４または図５の状態に
おいて、十字キー５４等によってフォーカスをさらに左に移動させる動作をすると、図６
に示すように、全放送局の全チャンネルをフォーカスし、シリーズ番組一覧表４２に、全
放送局の全チャンネルで放送されているシリーズ番組の一覧を表示する。
【００３６】
なお、上記では、ＥＰＧ画面４１におけるフォーカス移動によってチャンネル、放送局
、または全チャンネルをフォーカスさせてチャンネル、放送局、または全チャンネルのシ
リーズ番組をシリーズ番組一覧表４２に表示させるようにしたが、リモコン２にチャンネ
ル選択、放送局選択、全チャンネル選択のダイレクトボタンを設けて、チャンネル、放送
局、または全チャンネルをダイレクトに選択できるようにしてもよい。
【００３７】
また、ＥＰＧ画面４１とシリーズ番組一覧表４２との何れでカーソル移動可能であるか
を切り換える切換ボタンを設け、切換ボタンによってシリーズ番組一覧表４２を選択した
後、シリーズ番組一覧４２中でフォーカス移動させて番組、または所望の放送回を選択で
きるようにしてもよい。
【図面の簡単な説明】
【００３８】
【図１】本発明の一実施形態による放送受信装置のブロック構成図。
【図２】同装置によって表示されたＥＰＧの一例を示す図。
【図３】図２のＥＰＧのシリーズ番組情報の表示方法の第１例を示す図。
【図４】図２のＥＰＧのシリーズ番組情報の表示方法の第２例を示す図。
【図５】図２のＥＰＧのシリーズ番組情報の表示方法の第３例を示す図。
【図６】図２のＥＰＧのシリーズ番組情報の表示方法の第４例を示す図。
【図７】同装置の操作用リモコンの正面図。
【図８】選択メニュー画面を示す図。
【符号の説明】
【００３９】
１  デジタル／アナログ放送受信機
２  リモコン（入力手段）
４  チューナ（受信手段）
５  ＮＴＳＣデコーダ（アナログ復号手段）
７  ＡＴＳＣフロントエンド（デジダル復号手段）  
８  ＭＰＥＧデコーダバックエンド（信号変換手段）
９  ＯＳＤ回路（ＯＳＤ表示手段）
１１  メモリ（記憶手段）
１３ 制御手段
３０  表示装置
４１  ＥＰＧ画面
４２  シリーズ番組情報一覧
４９  シリーズ情報
６０  左矢印ボタン
【図１】
2006115226.tif 000003
【図２】
2006115226.tif 000004
【図３】
2006115226.tif 000005
【図４】
2006115226.tif 000006
【図５】
2006115226.tif 000007
【図６】
2006115226.tif 000008
【図７】
2006115226.tif 000009
【図８】
2006115226.tif 000010